(57)【要約】      （修正有）【課題】体の様々な部位に適用でき、使用材料によらず軽量でかつ装飾的な携帯可能なマッサージ具を提供する。【解決手段】一体形成された台座部２と凸状部３との表面全体に、幾何学パターンを、垂直方向に独立して貫通した複数の開口によって形成する。皮膚と接し、マッサージを行う凸状部内の表面曲率の大きな鋭端部７と凸状部の頂点近傍とを、刺激を低減するために幾何学パターン内の複数の交点と見当一致するように配置するのが好ましい。【選択図】図１
0003194957.tif 000002
【実用新案登録請求の範囲】
【請求項１】
台座部とその表面に一体形成された凸状部とから構成されたマッサージ具であって、前記台座部および前記凸状部の表面全体に幾何学パターンが形成されているとともに、前記幾何学パターンが前記台座部および前記凸状部に対して垂直方向に独立して貫通した複数の開口によって形成されていることを特徴とするマッサージ具。
【請求項２】
前記幾何学パターン内の複数の交点が、前記凸状部内の表面曲率の大きな鋭端部と前記凸状部の頂点近傍とに見当一致するように配置されていることを特徴とする請求項１に記載のマッサージ具。
【考案の詳細な説明】
【技術分野】
【０００１】
本考案は、体のツボ等を押圧するための、軽量で携帯し易いマッサージ具に関するものである。
【背景技術】
【０００２】
体の疲れや手足のむくみ等を軽減するために、多くの家庭用マッサージ機器が開示され実用されている。特に肩や手足のツボ等を押圧するための、携帯可能な小型のマッサージ具は、外出先やオフィス等で使用する場合に非常に便利である。携帯可能なマッサージ具にはボール形状のものや台座に複数の突起を設けたもの等が知られている。
【０００３】
特許文献１にはゴム等の球状弾性体の表面に複数の突起をつけたマッサージボールが開示されている。携帯可能であり、磁気等の機能を付加することもできるが、自重による押圧効果を持たせるために重量を大きくしており、また装飾的な配慮はされていない。
【０００４】
特許文献２にはゴム板等に複数の突起をつけ、固定のためのバンドを設けた足裏圧迫器が開示されている。携帯可能であるが、足裏に限定した形状で体の他の部位に対しては有効ではなく、装飾的とは言えない。また使用する材料によっては重量が大きくなる。
【０００５】
特許文献３には樹脂・ゴム等の台座に多数の柔軟性突起物を設けたマッサージ具が開示されている。足裏に即した形状で体の他の部位に対しては有効ではなく、また装飾的な配慮はない。これも使用する材料によっては重量が大きくなる。
【先行技術文献】
【特許文献】
【０００６】
【特許文献１】特開２０１３−１０６７３０号公報  ２０１３年
【特許文献２】実開昭６３−１７４８４６号公報  １９８８年
【特許文献３】実開平５−７０５４０号公報  １９９３年
【考案の概要】
【考案が解決しようとする課題】
【０００７】
解決しようとする問題点は、体のツボ等を押圧するための携帯可能なマッサージ具は、体の様々な部位に適用できない点や、また使用材料によっては重量が大きくなり、かつ装飾的ではない点である。
【課題を解決するための手段】
【０００８】
本考案は、マッサージ具を使用材料によらず軽量で携帯可能にし、かつ装飾的なものにするため、ツボ等を押圧するための凸状部と台座部とを一体形成し、その表面全体に幾何学パターンを形成し、かつ前記幾何学パターンを垂直方向に独立して貫通した複数の開口によって形成することを最も主要な特徴とする。
【考案の効果】
【０００９】
幾何学パターンが垂直方向に独立して貫通した複数の開口によって形成されるとともに、パターン内の交点が凸状部内の表面曲率の大きな鋭端部と凸状部の頂点近傍とに見当一致するよう配置されているため、材料によらず軽量となり携帯可能でかつ装飾的なマッサージ具になるという利点がある。
【図面の簡単な説明】
【００１０】
【図１】図１は本考案によるマッサージ具の一例を示した斜視図である。
【図２】図２は本考案によるマッサージ具の一例を示した平面図および底面図であり、幾何学パターンの一例を示している。
【考案を実施するための形態】
【００１１】
本考案について実施例を用いて説明する。
【実施例】
【００１２】
本考案のマッサージ具を構成する材料は樹脂・金属・セラミックス等を用いることが可能で特に限定されない。実施例ではＡＢＳ樹脂を用いた。幾何学パターンとしては島状に孤立していないものであれば限定されない。しかし幾何学パターンが島状に孤立している場合は、元のデザインが毀損されない範囲で支持パターンを追加すれば使用することができる。実施例では日本の伝統模様である「麻の葉」を用いた。３ＤＣＡＤを用いて構造設計を実施し、３Ｄプリンターを用いてマッサージ具を作成した。台座部の長径は８０ｍｍ、短径は５０ｍｍ、高さは３ｍｍ〜９ｍｍであり、本体の高さ（凸状部の頂点までの高さ）は２５ｍｍであった。開口部が多い装飾的なデザインとなり、かつ全体の重量は１５ｇであった。また体のツボ等を押圧するためのマッサージ具としての強度は十分に保持されていた。
【００１３】
図１は、本考案によるマッサージ具の１実施例を示す斜視図であって、１はマッサージ具、２は台座部、３は体のツボ等を押圧するための凸状部、７は凸状部内３の表面曲率の大きな鋭端部である。本考案の凸状部３の形状は特に限定されず、球、楕円体、台形等の基本形状やその類似形、またはこれらを組み合わせた形状を使用することができる。本実施例では十字形と略台形を組み合わせたものを使用した。加えて図１は、幾何学パターン内の交点が、凸状部内の表面曲率の大きな鋭端部７と凸状部の頂点近傍とに見当一致するよう配置されていることを示している。
【００１４】
図２は、本考案によるマッサージ具の１実施例を示す平面図および底面図である。本考案ではマッサージ具を上下両方向から見た図は同一となる。４はマッサージ具の構造壁で全体として幾何学パターンを形成している。５は幾何学パターン内の交点を示す。本実施例で使用した幾何学パターンは日本の伝統模様の一つである「麻の葉」である。６は幾何学パターンを形成するための垂直方向に独立して貫通した複数の開口である。
【００１５】
本考案ではマッサージ具が複数の開口によって形成される装飾的な形状のため、皮膚と接する凸状部３の頂点近傍および凸状部内３の鋭端部７では、使用するパターン次第で皮膚との接触面積が小さくなり強い刺激が加わり不快を感じる場合がある。従って刺激を低減するために凸状部３の頂点近傍および凸状部内３の鋭端部７でのパターン密度を高くすることが好ましい。本考案でパターン内の交点が、凸状部３の頂点近傍および鋭端部７と見当一致するように配置されているのはこのためである。しかし、パターン全体のデザインが毀損されなければ、刺激を低減するために凸状部３の頂点近傍および鋭端部７にベタパターンを追加使用することもできる。
【産業上の利用可能性】
【００１６】
体のツボ等を押圧する軽量で携帯可能かつ装飾的なマッサージ具は、家庭内のみならず外出先やオフィス等で、疲労やストレス軽減のために使用することができる。
【符号の説明】
【００１７】
１    マッサージ具
２    台座部
３    凸状部
４    幾何学パターン（構造壁）
５    幾何学パターン内の交点
６    独立して貫通した開口
７    鋭端部
【図１】
0003194957.tif 000003
【図２】
0003194957.tif 000004